(57)【要約】【課題】  例えばペットの糞を処理した後は臭気が外部に漏れにくい状態で携行できると共に、ペットが二回以上糞をしても、手を汚すことなく簡単に糞を処理することができ、後での糞の廃棄等の始末も簡単にできる汚物処理器を提供する。【解決手段】  汚物処理器(A)は開閉蓋(11)と容器本体(10)を有する容器(1)と、容器(1)に収容されている袋の一部を保持し捻ることができるよう構成されている袋捻り装置(3)と、袋のうち捻るとき保持する箇所以外の所要箇所を、捻られることにより外れる強度で固定する袋固定具(15)及び粘着シートを備えている。捻り装置(3)は、回転体(31)と、互いに連動する保持体(35)及びハンドル体(34)とを備えており、ハンドル体(34)を回転操作できる位置に動かすことにより、保持体(35)が連動して袋の一部を挟んで保持できるよう構成されている。【選択図】        図１
2005278419.tif 000002
【特許請求の範囲】
【請求項１】
開口された容器内の袋に汚物を収容し、次いで容器の開口部を閉じた後に袋を捻り手段で捻って袋で汚物を包み込むようにし、次いで容器を開いて袋ごと汚物を取り出し廃棄することを特徴とする、
汚物の処理方法。
【請求項２】
袋(4)を収容して開閉できるよう構成してある容器(1)と、
容器(1)に収容されている袋(4)の一部を保持し回転させて捻る袋捻り手段(3)と、
容器(1)に収容されている袋(4)のうち捻るとき保持する箇所以外の所要箇所を固定する袋固定手段(102,15)と、
を備えていることを特徴とする、
汚物処理器。
【請求項３】
袋固定手段(102,15)は、袋(4)のうち保持する箇所以外の所要箇所を、捻られることにより外れる強度で固定するよう構成されていることを特徴とする、
請求項２記載の汚物処理器。
【請求項４】
開閉蓋(11)と容器本体(10)を有する容器(1)と、
容器(1)に収容されている袋(4)の一部を保持し回転させて捻ることができるよう構成されている袋捻り装置(3)と、
容器本体(10)に設けてあり、容器(1)に収容されている袋(4)のうち捻るとき保持する箇所以外の所要箇所を、捻られることにより外れる強度で固定する袋固定手段(102,15)と、
を備えており、
捻り装置(3)は、
回転体(31)と保持体(35)及びハンドル体(34)を備えており、
保持体(35)は容器(1)に収容されている袋(4)の一部を挟んで保持できるよう構成されていることを特徴とする、
汚物処理器。
【請求項５】
開閉蓋(11)と容器本体(10)を有する容器(1)と、
容器(1)に収容されている袋(4)の一部を保持し回転させて捻ることができるよう構成されている袋捻り装置(3)と、
容器本体(10)に設けてあり、容器(1)に収容されている袋(4)のうち捻るとき保持する箇所以外の所要箇所を、捻られることにより外れる強度で固定する袋固定手段(102,15)と、
を備えており、
捻り装置(3)は、
回転体(31)と、
回転体(31)に設けられ、互いに連動する保持体(35)及びハンドル体(34)と、
を備えており、
ハンドル体(34)を回転操作できる位置に動かすことにより、保持体(35)は容器(1)に収容されている袋(4)の一部を挟んで保持できるよう構成されていることを特徴とする、
汚物処理器。
【請求項６】
捻り装置(3)の保持体(35)は、袋(4)を保持したときに、保持体(35)の保持解除動側に保持体(35)と袋(4)の間に空間部を形成する手段を備えていることを特徴とする、
請求項４または５記載の汚物処理器。
【発明の詳細な説明】
【技術分野】
【０００１】
本発明は汚物の処理方法及び汚物処理器に関するものである。更に詳しくは、例えばペットを散歩させる際に使用され、ペットが二回以上糞をしても、手を汚すことなく簡単に糞を処理することができ、糞を取った後は臭気が外部に漏れにくい状態で携行できると共に、後での糞の廃棄等の始末も簡単にできるようにしたものに関する。
【背景技術】
【０００２】
犬等のペットを散歩させる際、糞を取り持ち帰って始末することは、飼い主の最低限のマナーである。糞を取って始末する方法は様々であるが、近年では、地面にある糞を手や器具を汚すことなく簡単に取ることができる器具が提案されている（特許文献１，２参照）。
また、取った糞を容器に入れたままで携行し持ち帰ることができる器具も提案されている（特許文献３参照）。
【０００３】
【特許文献１】特開平１０−１０８５７３号公報
【０００４】
【特許文献２】特開２００２−６５０９６
【０００５】
【特許文献３】特開２００３−９７０９
【発明の開示】
【発明が解決しようとする課題】
【０００６】
上記各特許文献に記載された糞取り器には、次のような課題があった。
すなわち、ペットは、一回の散歩中に糞を一回だけでなく二回以上することがあり、特許文献１，２記載のものは、二回目を取る場合、一回目に使用した袋を取り外して、携行用の別の入れ物（袋など）に入れ、付け替えた袋を使用して取る必要があり、手間がかかっていた。また、糞が入った袋を携行用の入れ物に入れるときに、手を汚してしまうことがあった。
【０００７】
特許文献３記載のものは、蓋を開けた状態で糞を受けて取ることができるので、ペットが糞を二回以上しても、袋をその都度入れ替える必要はない。しかも、糞取りと糞の携行を同じ器具で兼用できるので、取った糞を持ち帰るための別の入れ物を携行する必要もない。しかしながら、糞を取った後、把手を持って携行する際に、糞の臭気が外部に漏れやすい課題があった。また、臭気の漏れを防止するために、糞が入った袋の口を閉じる方法もあるが、その作業で手を汚してしまうことがあった。なお、袋の口を閉じないで持ち帰った場合も、結局、ゴミ袋や便器に廃棄しなければならず、その時に手を汚してしまうことがあった。
【０００８】
（本発明の目的）
本発明は、例えばペットを散歩させる際に使用され、糞を処理した後は臭気が外部に漏れにくい状態で携行できると共に、ペットが二回以上糞をしても、手を汚すことなく簡単に糞を処理することができ、後での糞の廃棄等の始末も簡単にできる汚物の処理方法及び汚物処理器を提供することを目的とする。
【課題を解決するための手段】
【０００９】
上記課題を解決するために本発明が講じた手段は次のとおりである。
第１の発明にあっては、
開口された容器内の袋に汚物を収容し、次いで容器の開口部を閉じた後に袋を捻り手段で捻って袋で汚物を包み込むようにし、次いで容器を開いて袋ごと汚物を取り出し廃棄することを特徴とする、汚物の処理方法である。
【００１０】
第２の発明にあっては、
袋を収容して開閉できるよう構成してある容器と、
容器に収容されている袋の一部を保持し回転させて捻る袋捻り手段と、
容器に収容されている袋のうち捻るとき保持する箇所以外の所要箇所を固定する袋固定手段と、
を備えていることを特徴とする、汚物処理器である。
【００１１】
第３の発明にあっては、
袋固定手段は、袋のうち保持する箇所以外の所要箇所を、捻られることにより外れる強度で固定するよう構成されていることを特徴とする、
第２の発明に係る汚物処理器である。
【００１２】
第４の発明にあっては、
開閉蓋と容器本体を有する容器と、
容器に収容されている袋の一部を保持し回転させて捻ることができるよう構成されている袋捻り装置と、
容器本体に設けてあり、容器に収容されている袋のうち捻るとき保持する箇所以外の所要箇所を、捻られることにより外れる強度で固定する袋固定手段と、
を備えており、
捻り装置は、
回転体と保持体及びハンドル体を備えており、
保持体は容器に収容されている袋の一部を挟んで保持できるよう構成されていることを特徴とする、汚物処理器である。
【００１３】
第５の発明にあっては、
開閉蓋と容器本体を有する容器と、
容器に収容されている袋の一部を保持し回転させて捻ることができるよう構成されている袋捻り装置と、
容器本体に設けてあり、容器に収容されている袋のうち捻るとき保持する箇所以外の所要箇所を、捻られることにより外れる強度で固定する袋固定手段と、
を備えており、
捻り装置は、
回転体と、
回転体に設けられ、互いに連動する保持体及びハンドル体と、
を備えており、
ハンドル体を回転操作できる位置に動かすことにより、保持体は容器に収容されている袋の一部を挟んで保持できるよう構成されていることを特徴とする、汚物処理器である。
【００１４】
第６の発明にあっては、
捻り装置の保持体は、袋を保持したときに、保持体の保持解除動側に保持体と袋の間に空間部を形成する手段を備えていることを特徴とする、
第４または第５の発明に係る汚物処理器である。
【００１５】
袋固定手段としては、袋を捻って、ある程度の力が作用したときに外れるものでもよいし、袋を捻る操作では外れないものでもよい。外れない構造の場合は、手等で外すことになる。また、固定の方法としては、接着、粘着、引っ掛け、挟持、係止等、各種の公知手段があげられるが、これらに限定はされない。
【００１６】
袋を捻るために保持する手段としては、接着、粘着、引っ掛け、挟持、係止等、各種の公知手段があげられるが、これらに限定はされない。
【００１７】
（作用）
本発明に係る汚物処理器の作用をペットの糞取り器として使用する場合を例にとり説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１８】
汚物処理器(A)を、ペットを散歩に連れて行く際に携行する。容器(1)内部には、袋(4)をあらかじめ収容し、粘着剤等で構成される袋固定手段(102,15)で固定しておく。なお、携行時、容器(1)は開閉蓋(11)を閉じる等して閉じておく。
ペットが糞をしようとしたら、開閉蓋(11)を開ける等して容器(1)を開け、ペットの尻の下に配し、容器(1)内の袋(4)で糞を受ける。
【００１９】
糞を受け処理した後、もう糞をしないと思われる場合は、容器(1)を閉じ、袋捻り手段(3)のハンドル体(34)等を操作し、保持体(35)等で袋(4)の一部を保持し、回転させる。袋(4)の一部は固定されているので、袋(4)は捻られ、糞は袋(4)に包み込まれる。そして、捻り力が袋固定手段(102,15)に作用したところで、袋固定手段(102,15)による袋(4)の固定が外れる。袋(4)を容器(1)に単に固定している場合は、廃棄の際に外すようにする。
【００２０】
そして、袋捻り手段(3)による袋(4)の保持を解除すれば、袋(4)は容器(1)内部において、糞を包み込んだ状態で本質的に容器(1)とはつながっていない状態となる。
汚物処理器(A)を持ち帰り、容器(1)を開いて傾ける等すれば、糞を包んでいる袋(4)は、手を触れることなく簡単に廃棄できる。
【００２１】
なお、散歩中にペットが糞を二回以上すると思われる場合は、一回目の糞を処理して容器(1)を閉じた後、袋(4)を捻らずに、そのまま携行する。ペットが二回目の糞をするときには、上記と同様にして処理する。処理後は、上記と同様にして袋(4)を捻り、糞を包み込むようにして廃棄する。
【００２２】
捻り装置(3)の保持体(35)が、袋(4)を保持したときに、保持体(35)の保持解除動側に保持体(35)と袋(4)の間に空間部を形成する手段を備えているものは、袋捻り装置(3)で袋(4)を捻って糞を包み込んだ後、保持体(35)を保持解除方向へ動かすときに、空間部があることによって袋(4)が邪魔になりにくい。
【発明の効果】
【００２３】
（ａ）本発明によれば、例えばペットを散歩させる際に使用する場合、糞を処理した後、袋を捻ることにより糞は袋に包み込まれるので、臭気が容器外部に漏れにくい状態で携行できる。また、ペットが二回以上糞をしても、容器を開けるだけで手を汚すことなく簡単に糞を処理することができる。
【００２４】
（ｂ）袋固定手段が、袋のうち保持する箇所以外の所要箇所を、捻られることにより外れる強度で固定するよう構成されているものは、捻った後の袋は、糞を包み込んだ状態で容器とは離脱しているので、後での糞の廃棄等の始末も、容器を開けるだけで袋に手を触れることなく簡単にできる。
【００２５】
（ｃ）捻り装置の保持体が、袋を保持したときに、保持体の保持解除動側に保持体と袋の間に空間部を形成する手段を備えているものは、袋捻り装置で袋を捻って糞を包み込んだ後、保持体を保持解除方向へ動かすときに、空間部があることにより袋が邪魔になりにくい。これにより、保持体が袋を引っ掛けたり挟んだりして、袋が容器から離脱しにくくなることを防止できる。
【発明を実施するための最良の形態】
【００２６】
本発明を図に示した実施例に基づき詳細に説明する。
【実施例】
【００２７】
図１は本発明に係る汚物処理器の実施の形態を示す開閉蓋を閉じた状態の斜視図、
図２は汚物処理器の開閉蓋を開けた状態を示す斜視図、
図３は本発明に係る汚物処理器の実施の形態を示す正面図、
図４は汚物処理器の平面図、
図５は汚物処理器の底面図、
図６は汚物処理器の左側面図である。
【００２８】
図７は汚物処理器の蓋を開けた状態を示す正面図、
図８は汚物処理器の蓋を開けた状態を示す平面図、
図９は汚物処理器の蓋を開けた状態の縦断面説明図である。
【００２９】
図１０は袋捻り装置の構造を示し開閉蓋と容器本体の一部を表した説明図であり、（ａ）は保持体を閉じた状態、（ｂ）は保持体を開いた状態の説明図、
図１１は図１０（ｂ）の分解斜視説明図である。
【００３０】
汚物処理器Ａは、開閉できるよう構成されている容器１を有している。容器１は合成樹脂製で、容器本体１０と開閉蓋１１で構成されている。容器本体１０には、後述する照明装置２が設けてあり、開閉蓋１１には、後述する袋捻り装置３が設けてある。
なお、以下の構造や作用の説明における位置や方向の表現は、把手側を後側とし、開閉蓋側を前側とする。
【００３１】
容器本体１０は、後側が封鎖され、前側と前側上部が開口された構造を有している。開口部１００両側の側板１０１の内面には、袋固定手段を構成する粘着シート１０２がそれぞれ二箇所に横方向に隣接して設けてある。
各側板１０１の外面側には、容器本体１０の前側に設けられる開閉蓋１１の先端縁部が合う湾曲した段部１０３が設けてある。
【００３２】
容器本体１０の湾曲した上板１０４には、後述する開閉蓋１１を閉じた状態でロックするためのロック摘み体１２が設けてある。ロック摘み体１２は、上板１０４の前側の厚み部分から突出できる係合爪１２０を有している。ロック摘み体１２は、前後に進退動することができ、後述する端子体２１のバネ力によって前側へ付勢されている。係合爪１２０は常態では上板１０４の前側から突出し、ロック摘み体１２を後方へ引くことにより上板１０４内に収納できる。
なお、ロック摘み体１２は、後述する照明装置２のスイッチとしても機能する。
【００３３】
図９を主に参照する。
容器本体１０の後部には、照明装置２が設けてある。
容器本体１０の後板１０５の上部から底板１０６の後部にかけて把手１３が固着してある。把手１３は照明装置２を構成する電池収容部２０を内蔵している。電池収容部２０には、乾電池Ｂを出し入れするために着脱できる蓋２００が設けてある。電池収容部２０のプラス側端子２０１（図９で下側）からはリード線２０３が把手１３の内部を通って延長され、容器本体１０の底板１０６の後部にネジで固定されている端子体２１の基部に接続されている。
【００３４】
端子体２１は細板体であり、上記したようにロック摘み体１２まで延長され、そのバネ力をもってロック摘み体１２を前方へ付勢している。
上板１０４の内面側には、照明灯２２が取り付けてある。照明灯２２は、容器本体１０の内部前側を照らすことができるようにしてある。照明灯２２の一方のリード線２２１は、後板１０５に固定してある端子ネジ２３に接続してある。他方のリード線２２２は、後板１０５を貫通し、把手１３内を通って電池収容部２０のマイナス側端子２０２（図９で上側）に接続してある。
この構造の照明装置２によれば、ロック摘み体１２を後方へ引き、端子体２１を端子ネジ２３に接触させることにより、照明灯２２を点灯させることができる。
【００３５】
なお、容器本体１０の底板１０６の外面側には、後側に出し入れ口１０８を有するティッシュ収容箱１０７が設けてある。出し入れ口１０８には、蓋板１０８ａが着脱できるようにして装着してある。１０９は取り出し口である。ティッシュ収容箱１０７には、いわゆるポケットティッシュといわれるティッシュＴが収容できる。
【００３６】
容器本体１０の前側には、開閉蓋１１がヒンジ部１４によって回動できるようにして取り付けてある。開閉蓋１１は、容器本体１０の開口部１００を開閉でき、開いたときには前板１１１の基端部の内面側と底板１０６の前端部の外面側が当たって、前板１１１と底板１０６がほぼ平行な状態で止まるようになっている（図９参照）。
【００３７】
開閉蓋１１は、前板１１１と湾曲した上板１１２及びその両側に設けてある側板１１３により構成されている。開閉蓋１１は、両側板１１３をヒンジ部１４で取り付け、容器本体１０の両側板１０１に外嵌めして閉じることができるようにしてある。閉じたときは、両側板１１３の先端縁部は段部１０３に合わさる。
【００３８】
上板１１２の先端部には、上記粘着シート１０２と共に袋固定手段を構成する袋挟持具１５が設けてある。袋挟持具１５は、受板１５１と可動板１５２で構成されている。受板１５１は、上板１１２の先側下面側に、先部を先端縁部から突出させて固定してあり、上板１１２の湾曲に沿って湾曲させてある。受板１５１の中間部には係合凹部１５６が設けてあり、それを除く外面側には、鉄板１５３が貼着してある。
【００３９】
可動板１５２は、上板１１２先端の厚み部分に蝶番１５４により回動できるようにして取り付けてある。可動板１５２は、受板１５１側へ回動して受板１５１と合わさるよう湾曲して形成してある。可動板１５２の内面側（受板１５１と合わさる側）には、ゴム磁石製の磁石シート１５５が貼着してある。受板１５１の係合凹部１５６には、上記ロック摘み体１２の係合爪１２０が係合し、開閉蓋１１を閉じた状態でロックすることができる。
【００４０】
この構造の袋挟持具１５によれば、袋４の縁部を、磁石シート１５５と鉄板１５３の磁着力を利用して受板１５１と可動板１５２で挟持することができる。
なお、袋挟持具１５と上記粘着シート１０２との協働による袋４の固定力は、後述する袋捻り装置３により袋４が捻られ、捻り力が各固定部に作用したところで比較的容易に袋４の固定が外れる程度に設定してある。
【００４１】
図１１を主に参照する。
袋捻り装置３は、開閉蓋１１の前板１１１中央に設けてある円形の軸受孔１１４に回転できるようにして取り付けてある。
袋捻り装置３は、回転体３１を有している。回転体３１は、内構成体３２と外構成体３３を有している。内構成体３２は円形の径大部３２１と径小部３２２で構成される。径大部３２１は軸受孔１１４より径大であり、径小部３２２は軸受孔１１４よりやや径小である。径小部３２２の厚みは、軸受孔１１４部分の厚みよりやや厚く形成してあり、径小部３２２は回転体３１の回転軸となる。
【００４２】
内構成体３２には、中心部からやや偏心して四角形の取付口３２３が径大部３２１から径小部３２２を貫通して設けてある。取付口３２３のうち、径小部３２２の表面側（図１１では下面側）には、後述する軸ピン３５０を装着するためのピン溝３２４が相対抗して同軸線上に設けてある。また、内構成体３２の内面側には、回転中心を挟む取付口３２３と反対側に、後述する保持体３５の先端部を入れるコ字状の堤部３２５が設けてある。
【００４３】
内構成体３２のうち径小部３２２側には外構成体３３が固着されている。外構成体３３はやや扁平な有底円筒形状に形成されている。外構成体３３の外径は、軸受孔１１４より径大に形成されている。回転体３１は、内構成体３２の径小部３２２を軸受孔１１４に挿通し、外構成体３３を内構成体３２と中心を共通にして径小部３２２にネジ着して組み合わせてある。この構造により、回転体３１は軸受孔１１４から外れないようになっている。
【００４４】
外構成体３３の円板３３１には、上記取付口３２３と合わさる位置に同じ四角形状の取付口３３２が貫通して設けてある。取付口３３２の口縁部は、上記軸ピン３５０がピン溝３２４から外れないように押さえる機能も有する。
また、外構成体３３の外周板３３３には、直径方向に相対応して係合凹部３３４、３３５が切り欠いて形成してある。係合凹部３３４、３３５は、外構成体３３の回転中心と取付口３３２の中心を結ぶ直径線と同じ直径線上に設けてある。
【００４５】
回転体３１には、ハンドル体３４と保持体３５が、軸ピン３５０によって回動できるようにして取り付けてある。ハンドル体３４と保持体３５は、蝶番３６によって一定の角度範囲内で回動できるようにして連結されている。ハンドル体３４と保持体３５は、蝶番３６が設けてある面側には自由に回動できるが、その反対の面側に回動させたときはハンドル体３４と保持体３５の端面同士が当たって所要の角度で止まるようになっている（図９に想像線で表した部分参照）。
【００４６】
ハンドル体３４は外構成体３３側に配され、保持体３５は取付口３２３、３３２を貫通し、先部側を内構成体３２側に配されている。
保持体３５は、先部側が湾曲させてあり、やや尖らせてある。上記軸ピン３５０は、保持体３５の基端部から全長のほぼ１／３の位置に設けてある。軸ピン３５０は、保持体３５の両側に、長さ方向と直角に同じ軸線上に設けてある。また、保持体３５の長さ方向の中間部には、長方形の通し孔３５１が設けてある。
【００４７】
保持体３５の先端部には、バネ板３７の一端部が固着してある。バネ板３７は細板状であり、保持体３５の背面側（膨らみ面側）から通し孔３５１を通してある。そして、バネ板３７の他端部は、回転体３１の内構成体３２の内面にネジで固着してある。バネ板３７は、保持体３５を開く方向（図９で左回り方向）に付勢している。
【００４８】
ハンドル体３４は、上記したように外構成体３３側に配されている。ハンドル体３４は鉄製の板体３４１の先部に摘み３４２を設けた構造である。板体３４１は、円板３３１の外面側に取り付けてある磁石３８に磁着できる。
ハンドル体３４の板体３４１を係合凹部３３４に嵌め入れて磁石３８に磁着することにより、ハンドル体３４が固定されて邪魔にならない。このとき、保持体３５は開いた状態となる（図９に実線で表した部分参照）。
【００４９】
また、ハンドル体３４の上記固定を解除し、回動させて板体３４１を反対側の係合凹部３３５に嵌め入れると、保持体３５は先端部が堤部３２５の内側に入って内構成体３２の内面に当たり、閉じた状態となる。この状態で、ハンドル体３４を操作して、袋捻り装置３を回転させることができる。
なお、保持体３５の閉じる方向への回動によって、バネ板３７の両端部を固定している箇所の直線距離が近くなる。これにより、バネ板３７は保持体３５の背部側に大きく膨らむように湾曲する（図９、図１０（ａ）参照）。
【００５０】
（作用）
図１ないし図１１を参照して汚物処理器Ａの作用及び使い方を説明する。なお、本実施の形態に係る汚物処理器Ａは、以下の説明ではペットの糞取り器として説明するが、処理の対象となる汚物はペットの糞に限定されるものではない。
【００５１】
（１）汚物処理器Ａを、例えば犬等、ペットを散歩に連れて行く際に把手１３を持って携行する。容器１内部には、袋４（図９参照）をあらかじめ収容し、各粘着シート１０２に一部を貼付け、縁部の一部を袋挟持具１５によって挟んで固定しておく。携行時においては、容器１は開閉蓋１１は閉じておく。また、袋捻り装置３のハンドル体３４は磁着させて閉じておき、内部の保持体３５は開いておく（図３、図４の状態）。
【００５２】
（２）ペットが糞をしようとしたら、容器１の開閉蓋１１を開けてペットの尻の下に配し、容器１内の袋４で糞を受ける。なお、夜間であれば照明灯２２を点灯させれば糞を取りこぼすことはない。糞を受けて処理した後、開閉蓋１１を閉じる。
【００５３】
（３）ペットがもう糞をしないと思われる場合は、袋捻り装置３のハンドル体３４を操作し、反対側に回動させる。これにより保持体３５がバネ板３７の付勢力に抗して閉じ方向に回動し、その先端部と内構成体３２の表面との間で袋４の一部を挟む。このとき、バネ板３７は保持体３５の背部側に膨らんで袋４を押しやり、保持体３５の背部側すなわち保持を解除するときの移動方向側に空間部（符号省略）をつくることができる。更には、堤部３２５の作用で袋４の挟持部が横方向へずれにくいようになっており、袋４の保持が外れにくい。なお、袋４の挟持が確実にできるように、開閉蓋１１を開けた状態で上記ハンドル体３４の操作を行ってもよい。
【００５４】
（４）保持体３５で袋４の一部を保持（挟持）した状態で、ハンドル体３４を回転操作し、袋捻り装置３を回転させる。これにより袋４は捻られ、糞は袋４に包み込まれる。また、捻り力が粘着シート１０２及び袋挟持具１５による袋固定部に作用することにより、袋４の固定が外れる。そして、ハンドル体３４を戻して磁着させて固定すれば、保持体３５は保持解除方向に回動し、袋４は容器１内部において、糞を包み込んだ状態で本質的に容器１とはつながっていない状態となる。糞は袋４に包み込まれるので、臭気が容器１外部に漏れにくい状態で携行できる
なお、保持体３５が保持解除方向へ動くときに、空間部があることにより袋４が邪魔になりにくい。これにより、保持体３５が袋４を引っ掛けたり挟んだりして、袋４が容器１から離脱しにくくなることを防止できる。
【００５５】
（５）汚物処理器Ａを持ち帰り、容器１の開閉蓋１１を開いて傾ければ、糞を包んでいる袋４は、手を触れることなく簡単に廃棄できる。
なお、散歩中にペットが糞を二回以上すると思われる場合は、一回目の糞を処理し開閉蓋１１を閉じた後、袋４を捻らずに、そのまま携行する。ペットが二回目の糞をするときには、上記と同様にして糞を処理することができる。処理後は、上記と同様に袋捻り装置３によって袋４を捻り、糞を包み込むようにして廃棄することができる。
【００５６】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５７】
【図１】本発明に係る汚物処理器の実施の形態を示す開閉蓋を閉じた状態の斜視図。
【図２】汚物処理器の開閉蓋を開けた状態を示す斜視図。
【図３】汚物処理器の正面図。
【図４】汚物処理器の平面図。
【図５】汚物処理器の底面図。
【図６】汚物処理器の左側面図。
【図７】汚物処理器の蓋を開けた状態を示す正面図。
【図８】汚物処理器の蓋を開けた状態を示す平面図。
【図９】汚物処理器の蓋を開けた状態の縦断面説明図。
【図１０】袋捻り装置の構造を示し開閉蓋と容器本体の一部を表した説明図であり、（ａ）は保持体を閉じた状態、（ｂ）は保持体を開いた状態の説明図。
【図１１】図１０（ｂ）の分解斜視説明図。
【符号の説明】
【００５８】
Ａ  汚物処理器
１  容器
１０  容器本体
１００  開口部
１０１  側板
１０２  粘着シート
１０３  段部
１０４  上板
１０５  後板
１０６  底板
１０７  ティッシュ収容箱
１０８  出し入れ口
１０８ａ  蓋板
１０９  取り出し口
１１  開閉蓋
１１１  前板
１１２  上板
１１３  側板
１１４  軸受孔
１２  ロック摘み体
１２０  係合爪
１３  把手
１４  ヒンジ部
１５  袋挟持具
１５１  受板
１５２  可動板
１５３  鉄板
１５４  蝶番
１５５  磁石シート
１５６  係合凹部
２  照明装置
２０  電池収容部
２００  蓋
２０１  プラス側端子
２０２  マイナス側端子
２０３  リード線
Ｂ  乾電池
２１  端子体
２２  照明灯
２２１  リード線
２２２  リード線
２３  端子ネジ
３  袋捻り装置
３１  回転体
３２  内構成体
３２１  径大部
３２２  径小部
３２３  取付口
３２４  ピン溝
３２５  堤部
３３  外構成体
３３１  円板
３３２  取付口
３３３  外周板
３３４  係合凹部
３３５  係合凹部
３４  ハンドル体
３４１  板体
３４２  摘み
３５  保持体
３５０  軸ピン
３５１  通し孔
３６  蝶番
３７  バネ板
３８  磁石
【図１】
2005278419.tif 000003
【図２】
2005278419.tif 000004
【図３】
2005278419.tif 000005
【図４】
2005278419.tif 000006
【図５】
2005278419.tif 000007
【図６】
2005278419.tif 000008
【図７】
2005278419.tif 000009
【図８】
2005278419.tif 000010
【図９】
2005278419.tif 000011
【図１０】
2005278419.tif 000012
【図１１】
2005278419.tif 000013